(57)【特許請求の範囲】
【請求項１】
光ディスクを回転させる回転手段と、
前記光ディスクへレーザ光を照射してその反射光から読み取り信号を読み取る読取手段と、
前記読取手段が正確に前記読み取り信号を読み取れるように前記読み取り手段を移動するトラッキングサーボおよびフォーカスサーボの制御を行うサーボ制御手段と、
前記読取手段が読み取った読み取り信号を再生する再生手段と、
を備えた光ディスク再生装置において、
前記光ディスクを複数の領域に分割し、前記サーボ制御手段に、トラッキングサーボまたはフォーカスサーボのいずれかが外れたことを検出させ、複数回トラッキングサーボまたはフォーカスサーボのいずれかが外れたことを検出した場合に、前記回転手段の回転数を低下させて前記読取手段に読み取り信号を読み取らせるとともに前記回転数を低下させた前記領域内では前記回転手段の回転数を低下させた状態を維持し、前記回転手段の回転数を低下させた際に前記読取手段が読み取っていた読取位置が属する前記領域とは異なる領域を前記読取手段が読み取り始めたら、前記回転手段の回転数を上昇させて前記読取手段に読み取り信号を読み取らせるように制御する制御手段を備えたことを特徴とする光ディスク再生装置。
【請求項２】
前記複数の領域各々において、前記回転手段の回転数を低下させたか否かを記憶する記憶手段を備え、
前記制御手段が、前記読取手段が読み取っていた読取位置が属する前記領域が切り替わった際には、前記記憶手段を参照して、前記回転手段の回転数を変更することを特徴とする請求項１に記載の光ディスク再生装置。
【請求項３】
前記複数の領域が、前記光ディスクに記録されたアドレス情報に基づいて分割されていることを特徴とする請求項１または２に記載の光ディスク再生装置。
【請求項４】
光ディスクを回転させ、前記光ディスクへレーザ光を照射してその反射光から正確に読み取り信号を読み取れるようにトラッキングサーボおよびフォーカスサーボの制御を行い、前記読み取り信号を再生する光ディスク再生方法において、
前記光ディスクを複数の領域に分割して、前記トラッキングサーボまたはフォーカスサーボのいずれかが外れたことを検出し、複数回トラッキングサーボまたはフォーカスサーボが外れたことを検出した場合に、前記光ディスクの回転数を低下させて読み取り信号を読み取るとともに前記光ディスクの回転数を低下させた前記領域内では前記光ディスクの回転数を低下させた状態を維持し、前記光ディスクの回転数を低下させた際に前記読み取り信号を読み取っていた読取位置が属する前記領域とは異なる領域を読み取り始めたら、前記光ディスクの回転数を上昇させて読み取り信号を読み取るように制御することを特徴とする光ディスク再生方法。
【発明の詳細な説明】
【技術分野】
【０００１】
本発明は、光ディスクを等倍速よりも高速回転させて再生している際にフォーカスやトラッキングなどのサーボが外れても速やかに再生状態に復帰可能な光ディスク再生装置および光ディスク再生方法に関する。
【背景技術】
【０００２】
音楽や映像など様々な情報が記録されるＣＤ（Compact Disc）やＤＶＤ（Digital Versatile Disk）などの光ディスクは大容量の情報を記録する媒体として多く用いられている。この光ディスクに傷や汚れなどによるディフェクトがある場合は、正常な再生や記録が行えなくなることがある。
【０００３】
近年、光ディスクに記録されている情報を高速に読み出したりまたは記録するために、光ディスクを高速に回転させることが多くなってきている。このような高速回転での読み出しまたは記録を行うと記録面の単位時間当たりの読み出しまたは記録情報量が多くなることから傷や汚れなどによるディフェクトには回転数が高くなるほど耐性が弱くなる。したがって高回転時にエラー訂正が行えなかったりトラッキングやフォーカスのサーボ外れなどが発生し、情報読み出しや記録が行えなくなるという問題があった。このような問題を解決するために特許文献１のディスク再生方法が提案されている。特許文献１に記載のディスク再生方法はディスクモータの高速回転時に訂正不能のエラーが発生した場合にディスクモータを低速回転に変更して、ディフェクト判定回路がディフェクト判定を行っている間は低速回転でディスクを回転させ、ディフェクト判定回路がディフェクト判定を行わなくなったら高速回転に戻している。
【特許文献１】特開平１１−２７３０７２号公報
【発明の開示】
【発明が解決しようとする課題】
【０００４】
しかしながら、特許文献１に記載の装置では、一度訂正不能なディフェクトが発見されてディスクモータの回転数を低速に設定すると、ディフェクト判定がなくなるまで低回転のままとなり、ディフェクト判定の条件設定によっては、高回転でもトラッキングやフォーカスのサーボによって読み取り可能なディフェクトであっても低回転のままとなってしまうことがあるため、情報の読み出しまたは記録時間が余計にかかってしまうことがあった。
【０００５】
例えば図１に示すような傷がある光ディスクの場合、Ａの部分は高回転でエラー訂正できない（サーボが外れる）ようなディフェクト、Ｂの部分が高回転でエラー訂正できる（サーボが外れない）ようなディフェクトだった場合に、特許文献１ではＡ部分で低回転に落としてＢ部分に移動しても直ぐに高回転に復帰できない可能性がある。また、トラッキングやフォーカスサーボが外れるか否かはそのときの回転数やディスク上の位置あるいは光ディスクの方式（ＣＡＶかＣＬＶか）によって状況が異なるため、傷などによるディフェクトの幅だけでは一概に決められない。
【０００６】
そこで、本発明は、例えば光ディスクのディフェクトによりディスクの回転数を低下させた場合でも正常な情報の再生が行え、さらに速やかに高速回転に復帰が行えるような光ディスク再生装置および光ディスク再生方法を提供することを課題とする。
【課題を解決するための手段】
【０００７】
上記課題を解決するために、請求項１記載の発明は、光ディスクを回転させる回転手段と、前記光ディスクへレーザ光を照射してその反射光から読み取り信号を読み取る読取手段と、前記読取手段が正確に前記読み取り信号を読み取れるように前記読み取り手段を移動するトラッキングサーボおよびフォーカスサーボの制御を行うサーボ制御手段と、前記読取手段が読み取った読み取り信号を再生する再生手段と、を備えた光ディスク再生装置において、前記光ディスクを複数の領域に分割し、前記サーボ制御手段に、トラッキングサーボまたはフォーカスサーボのいずれかが外れたことを検出させ、複数回トラッキングサーボまたはフォーカスサーボのいずれかが外れたことを検出した場合に、前記回転手段の回転数を低下させて前記読取手段に読み取り信号を読み取らせるとともに前記回転数を低下させた前記領域内では前記回転手段の回転数を低下させた状態を維持し、前記回転手段の回転数を低下させた際に前記読取手段が読み取っていた読取位置が属する前記領域とは異なる領域を前記読取手段が読み取り始めたら、前記回転手段の回転数を上昇させて前記読取手段に読み取り信号を読み取らせるように制御する制御手段を備えたことを特徴としている。
【０００８】
請求項４記載の発明は、光ディスクを回転させ、前記光ディスクへレーザ光を照射してその反射光から正確に読み取り信号を読み取れるようにトラッキングサーボおよびフォーカスサーボの制御を行い、前記読み取り信号を再生する光ディスク再生方法において、
前記光ディスクを複数の領域に分割して、前記トラッキングサーボまたはフォーカスサーボのいずれかが外れたことを検出し、複数回トラッキングサーボまたはフォーカスサーボが外れたことを検出した場合に、前記光ディスクの回転数を低下させて読み取り信号を読み取るとともに前記光ディスクの回転数を低下させた前記領域内では前記光ディスクの回転数を低下させた状態を維持し、前記光ディスクの回転数を低下させた際に前記読み取り信号を読み取っていた読取位置が属する前記領域とは異なる領域を読み取り始めたら、前記光ディスクの回転数を上昇させて読み取り信号を読み取るように制御することを特徴としている。
【発明を実施するための最良の形態】
【０００９】
以下、本発明の一実施形態にかかる光ディスク再生装置を説明する。本発明の一実施形態にかかる光ディスク再生装置は、光ディスクを複数の領域に分割して、サーボ制御手段がトラッキングサーボまたはフォーカスサーボのいずれかが複数回外れたことを検出した場合に、回転手段の回転数を低下させるように制御手段で制御するとともに光ディスクの回転数を低下させた領域内では光ディスクの回転数を低下させた状態を維持する。そして、回転数が低下した際に読取手段が読み取っていた読取位置が属する領域と異なる領域を読み取り手段が読み取り始めたら、制御手段が回転手段の回転数を上昇させる。このようにすることによって、トラッキングサーボまたはフォーカスサーボのいずれかが外れたことが複数回検出されたことでディフェクトがあると判定でき、光ディスクの回転数を低下させて光ディスクに記録されている情報を読み取り易くできるので再生が継続できる。そして、回転数を低下させた際に読取手段が読み取っていた読取位置が属する領域と異なる領域を読み取り始めたら、ディフェクトの有無に関係無く回転手段の回転数を上昇させるためディフェクトが検出されなくなるまで回転数を低下させたままにするよりも速やかに高倍速再生に復帰できる。
【００１０】
また、複数の領域に各々において、前記回転手段の回転数を低下させたか否かを記憶する記憶手段を備え、制御手段が、読取手段が読み取っていた読取位置が属する領域が切り替わった際には、記憶手段を参照して、回転手段の回転数を変更してもよい。このようにすることによって、一度回転数の低下を検出した領域をアクセスする際にはサーボ外れの検出を行うまでも無く低回転に変更する再生を継続することができる。
【００１１】
また、複数の領域を、光ディスクに記録されたアドレス情報に基づいて分割してもよい。このようにすることによって、分割が容易になり、さらに読み取り信号からどの領域を読み取っているかが容易に判別できる。
【００１２】
また、本発明の一実施形態にかかる光ディスク再生方法は、光ディスクを複数の領域に分割して、トラッキングサーボまたはフォーカスサーボのいずれかが複数回外れたことを検出した場合に、光ディスクの回転数を低下させるように制御するとともに前記光ディスクの回転数を低下させた前記領域内では前記光ディスクの回転数を低下させた状態を維持する。そして、回転数が低下した際に読み取り信号を読み取っていた読取位置が属する領域と異なる領域を読み取り始めたら、光ディスクの回転数を上昇させる。このようにすることによって、トラッキングサーボまたはフォーカスサーボのいずれかが外れたことが複数回検出されたことでディフェクトがあると判定でき、光ディスクの回転数を低下させて光ディスクに記録されている情報を読み取り易くなるので再生を継続できる。そして、回転数を低下させた際に読み取り信号を読み取っていた読取位置が属する領域と異なる領域を読み取り始めたら、ディフェクトの有無に関係無く光ディスクの回転数を上昇させるためディフェクトが検出されなくなるまで回転数を低下させたままにするよりも速やかに高倍速再生に復帰できる。
【実施例】
【００１３】
本発明の一実施例にかかる光ディスク再生装置としての光ディスクレコーダ１を図２ないし図５を参照して説明する。光ディスクレコーダ１は、ＤＶＤやＣＤ等の光ディスクを再生および記録可能な装置である。光ディスクレコーダ１は図２に示すようにディスクモータ２と、光ピックアップ３と、ＲＦアンプ４と、サーボ信号処理部５と、ドライバ６と、音声／映像信号処理部７と、メモリ８と、ＤＡ／ＡＤコンバータ９と、マイクロコンピュータ１０と、音声信号／映像信号入出力端子１１と、を備えている。
【００１４】
回転手段としてのディスクモータ２は、光ディスクレコーダ１にセットされた光ディスク１２を回転させるためのモータであり、スピンドルモータなどで構成されている。
【００１５】
読取手段としての光ピックアップ３は、光ディスク１２に照射する光を発生させる図示しない光源としてのレーザダイオードや、光ディスク１２上にレーザダイオードからのレーザ光を照射するための対物レンズ、サーボ信号処理部５からの指示によりフォーカスやトラッキングを合わせるために対物レンズを駆動するアクチュエータおよび光ディスク１２から反射された反射光を受ける受光器とを備え、受光器で受光した反射光は電気信号に変換されてＲＦアンプ４へ出力される。
【００１６】
ＲＦアンプ４は、光ピックアップ３から出力される電気信号を所定の値に増幅し、サーボ信号処理部５へ出力する。
【００１７】
サーボ制御手段としてのサーボ信号処理部５は、光ディスク１２からの反射光から得られＲＦアンプ４から入力される信号であるフォーカスエラー信号やトラッキングエラー信号からフォーカスサーボまたはトラッキングサーボが外れたことの検出や、光ピックアップ３の対物レンズを駆動させてフォーカスおよびトラッキングの制御などを行い、光ディスク１２に記録された情報を正確に読めるようにする。さらに、光ディスク１２に記録された音楽や映像などの情報を含む信号をアナログ／デジタル変換して音声／映像信号処理部７へ出力する。
【００１８】
ドライバ６は、サーボ信号処理部５から入力された信号を増幅し、ディスクモータ２および光ピックアップ３へ出力する。
【００１９】
再生手段としての音声／映像信号処理部７は、サーボ信号処理部５から入力された信号を音声または映像信号に復調しエラー訂正などを行った後メモリ８へ出力する。記録時はメモリ８から入力された信号を変調しサーボ信号処理部５へ出力する。
【００２０】
メモリ８は光ディスク１２からショックプルーフや高速コピーなどのために等倍速で再生するのに必要な回転数よりも高い回転数で読み込んで再生した情報を記憶しておくためのメモリであり、ＤＡ／ＡＤコンバータ９から等倍速で読み取られる。
【００２１】
ＤＡ／ＡＤコンバータ９は、再生時はメモリ８から入力されたデジタル信号をアナログ信号に変換し音声出力端子１１ａおよび映像出力端子１１ｂから出力する。記録時は音声入力端子１１ｃおよび映像入力端子１１ｄから入力されたアナログ信号をデジタル信号に変換しメモリ８へ出力する。
【００２２】
制御手段としてのマイクロコンピュータ１０は、ＣＰＵ（Central Processing Unit）と、ＲＡＭ（Random Access Memory）と、ＲＯＭ（Read Only Memory）を内蔵し、光ディスク１２の挿入や排出、記録／再生や停止などの各操作における光ディスクレコーダ１全体の制御およびサーボ信号処理部５から検出されたフォーカスサーボ外れまたはトラッキングサーボ外れの情報からディスクモータの回転数の決定などを行う。
【００２３】
次に、図２に示すような構成からなる光ディスクレコーダ１において、光ディスク１２としてＤＶＤを高倍速再生させた際の動作を図３に示すフローチャートを参照して説明する。図３に示したフローチャートは、マイクロコンピュータ１０のＲＯＭに記憶されている制御プログラムをマイクロコンピュータ１０において実行することで実現される。
【００２４】
本発明は図４に一例を示すように以下に光ディスク１２を複数の領域としての複数のzone（図４では６つのzone）に分ける。具体的にはＤＶＤの場合はＤＶＤに記録されているアドレス情報としてのＩＤでzone分けを行う。ＤＶＤのデータ構造を図５に示す。ＤＶＤに記録されているデータは同期信号とＩＤと映像などのデータから構成され、同期信号とＩＤは所定の間隔で挿入される。ＩＤはディスクの先頭（内周）から順に番号が振られている。したがってＩＤを所定の数毎に区切ればディスクを複数のzoneに区切ることができる。すなわちアドレス情報とはＩＤのように光ディスク１２の再生位置が判別できるような情報である。次に、トラッキングサーボまたはフォーカスサーボのうちいずれかのサーボが外れたことが合計で４回以上発生した場合には高倍速による再生の継続は不可能なディフェクトによるサーボ外れであると判断してディスクモータ２の回転数を低倍速の回転数に低下させる。そして高倍速から低倍速に変更した時のzoneから別のzoneに再生位置が移動したことがＩＤから検出された場合には、ディフェクトの有無に関わらず高倍速に復帰させる。例えば図４においてzone1で低倍速に変更し、その後zone2の読み取りに移った場合にはディフェクトの有無に関わらず高倍速に復帰させる。詳細を図３のフローチャートに沿って説明する。
【００２５】
まず、ステップＳ１において、光ディスクプレーヤ１にセットされた光ディスク１２を再生するために、サーボ信号処理部５へ指示を行ってフォーカスやトラッキングなどのセットアップを行った後にディスクモータ２を等倍速の２０倍の回転数（高倍速）で回転させるようにサーボ信号処理部５へ指示しＤＶＤの高倍速再生を開始してステップＳ２へ進む。
【００２６】
次に、ステップＳ２において、トラッキングサーボまたはフォーカスサーボのいずれかのサーボが外れた回数をカウントするカウンタｎを０にリセットしてステップＳ３に進む。
【００２７】
次に、ステップＳ３において、現在再生されているＩＤからそのＩＤが属するzone番号をマイクロコンピュータ１０のレジスタＡに保存してステップＳ４に進む。
【００２８】
次に、ステップＳ４において、サーボ信号処理部５からの通知によりトラッキングサーボが外れたか否かを判断し、外れた場合（ＹＥＳの場合）はステップＳ６へ進み、そうでない場合（ＮＯの場合）はステップＳ５へ進む。トラッキングサーボ外れは、例えばサーボ信号処理部５においてトラッキングエラー信号の振幅が所定のレベル以上になったか否かで判断する。
【００２９】
次に、ステップＳ５において、サーボ信号処理部５からの通知によりフォーカスサーボが外れたか否かを判断し、外れた場合（ＹＥＳの場合）はステップＳ６へ進み、そうでない場合（ＮＯの場合）はステップＳ３へ戻る。フォーカスサーボ外れは、例えばサーボ信号処理部５においてフォーカスエラー信号の振幅が所定のレベル以上になったか否かで判断する。
【００３０】
次に、ステップＳ６において、トラッキングサーボまたはフォーカスサーボの何れかが外れたことが検出されたため、カウンタｎに１を加算してステップＳ７に進む。
【００３１】
次に、ステップＳ７において、カウンタｎが４以上か否かを判断して４以上だった場合はステップＳ９に進み、そうでない場合はステップＳ８に進む。すなわちトラッキングサーボとフォーカスサーボの外れた回数が双方合わせて４回以上であった場合はステップＳ９に進む。
【００３２】
次に、ステップＳ８において、外れたサーボを取り直してディスクモータ２の回転数は変更せずに再生を行いステップＳ３に戻る。サーボ信号処理部５にサーボを取り直すように指示をする。サーボ信号処理部５はドライバ６を経由して対物レンズを駆動するアクチュエータを制御してサーボを取り直す。
【００３３】
次に、ステップＳ９において、２０倍速再生から４倍速の低倍速再生に切替えステップＳ１０に進む。ディスクモータ２の回転数を低下させるようにサーボ信号処理部５に指示をする。サーボ信号処理部５は、ドライバ６を経由してディスクモータ２の回転数を４倍速相当の回転数に制御する。
【００３４】
次に、ステップＳ１０において、外れたサーボを取り直して低倍速で再生を行いステップＳ１１に進む。サーボ信号処理部５にサーボを取り直すように指示をする。サーボ信号処理部５はドライバ６を経由して対物レンズを駆動するアクチュエータを制御してサーボを取り直す。
【００３５】
次に、ステップＳ１１において、現在再生されているＩＤからそのＩＤが属するzone番号をレジスタＡとは異なるマイクロコンピュータ１０のレジスタＢに保存してステップＳ１２に進む。
【００３６】
次に，ステップＳ１２において、レジスタＡに保存したzone番号と、レジスタＢに保存したzone番号が一致しているか否かを判断して一致している場合はステップＳ１１に戻り、一致していない場合はステップＳ１３に進む。すなわち、レジスタＡに保存してある低倍速に変更したzoneとレジスタＢに保存する再生中のzoneが異なっているか否かを判断している。
【００３７】
次に、ステップＳ１３において、レジスタＡとレジスタＢのzone番号が異なることからディスクモータ２の回転数を上昇させて２０倍速再生（高倍速再生）に復帰しステップＳ２に戻る。すなわち、ディスクモータ２の回転数を低下させたzoneと異なるzoneを読み取り始めたためディスクモータ２の回転数を上昇させている。
【００３８】
本実施例によれば、光ディスクレコーダ１において高倍速再生を行ったときに、トラッキングサーボとフォーカスサーボの外れた回数が双方合わせて４回以上であった場合は高倍速による再生の継続は不可能なディフェクトによるサーボ外れであると判断してディスクモータ２の回転数を低倍速の回転数に低下させる。そして、ディスクモータ２の回転数を低倍速の回転数に低下させたzoneから異なるzoneの情報の読み取りを開始し始めたら高倍速再生に復帰させる。すなわち、複数回のサーボ外れは発生すると低倍速で再生を行うので光ディスクに記録されている情報が読み取り易くなる。さらに、zoneの切り替わりで高倍速再生に復帰させるのでディフェクトが検出されなくなるまで回転数を低下させたままにするよりも速やかに高倍速再生に復帰できる。
【００３９】
なお、上述した実施例においては、２０倍速再生から４倍速再生にディスクモータ２の回転数を低下させていたが、回転数はこの組合せに限らない。要するに、当初回転させていた回転数から低下させ、別のzone移動したら回転数を当初の回転数に上昇させればよい。
【００４０】
また、上述した実施例においては、ＤＶＤの場合で説明したが、ＣＤなどの他の光ディスクについても適用できる。ＣＤの場合はアドレス情報としてサブコードを基にzoneを分割する。
【００４１】
また、上述した実施例においては、図４のようにzone分割を同心円状にしていたが、それに限らず、他の分割方法としてもよい。例えば、ＩＤの０〜１００００をzone1、１０００１〜２００００をzone2、２０００１〜３００００をzone3、…などのような分割方法でもよい。
【００４２】
また、上述した実施例においては、低倍速に変更するためのサーボ外れの回数を４回以上としていたが、２回以上であれば何回でもよい。１回の場合は、振動などによる偶発的なサーボ外れでも反応してしまうため複数回のサーボ外れにより高倍速での再生の継続が困難なディフェクトであると判断したほうが判定の精度を高くすることができる。
【００４３】
また、上述した実施例においては、サーボ外れの検出はzoneに関係無く４回以上で低倍速に変更していたが、１つのzone内で連続して複数回（例えば４回）以上サーボ外れが検出した場合に低倍速に変更してもよい。
【００４４】
また、上述した実施例においては、再生時のみを説明したが記録時においても適用可能である。
【００４５】
また、各zoneにおいて低倍速に変更したか否かの情報やサーボ外れの検出回数をマイクロコンピュータ１０のＲＡＭなどに記憶しておくことで、再生する情報（１曲や１チャプター）が複数のzoneに跨っている場合やランダム再生時などで１度低倍速に変更したzoneへのアクセス時には、直ちに低倍速に変更することができる。
【００４６】
前述した実施例によれば、以下の光ディスク再生装置および光ディスク再生方法が得られる。
【００４７】
（付記１）光ディスク１２を回転させるディスクモータ２と、光ディスク１２へレーザ光を照射してその反射光から読み取り信号を読み取る光ピックアップ３と、光ピックアップ３が正確に読み取り信号を読み取れるように光ピックアップ３を移動するトラッキングサーボおよびフォーカスサーボの制御を行うサーボ信号処理部５と、光ピックアップ３が読み取った読み取り信号を再生する音声／映像信号処理部７と、を備えた光ディスクレコーダ１において、光ディスク１２を複数のzoneに分割し、サーボ信号処理部５にトラッキングサーボまたはフォーカスサーボのいずれかが外れたことを検出させ、サーボ信号処理部５が４回以上トラッキングサーボまたはフォーカスサーボのいずれかが外れたことを検出した場合に、ディスクモータ２の回転数を低下させて光ピックアップ３に読み取り信号を読み取らせるとともに回転数を低下させたzone内ではディスクモータ２の回転数を低下させた状態を維持し、ディスクモータ２の回転数を低下させた際に光ピックアップ３が読み取っていた読取位置が属する前記zoneと異なるzoneを光ピックアップが読み取り始めたら、ディスクモータ２の回転数を上昇させて光ピックアップ３に読み取り信号を読み取らせるように制御するマイクロコンピュータ１０を備えたことを特徴とする光ディスクレコーダ１。
【００４８】
この光ディスクレコーダ１によれば、トラッキングサーボまたはフォーカスサーボのいずれかが外れたことが４回以上検出されたことでディフェクトがあると判定でき、光ディスク１２の回転数を低下させて光ディスク１２に記録されている情報を読み取り易くできる。そして、回転数を低下させた際に光ピックアップ３が読み取っていた読取位置が属するzoneと異なるzoneを読み取り始めたら、ディフェクトの有無に関係無くディスクモータ２の回転数を上昇させるためディフェクトが検出されなくなるまで回転数を低下させたままにするよりも速やかに高倍速再生に復帰できる。
【００４９】
（付記２）光ディスク１２を回転させ、光ディスク１２へレーザ光を照射してその反射光から正確に読み取り信号を読み取れるようにトラッキングサーボおよびフォーカスサーボの制御を行い、読み取り信号を再生する光ディスク再生方法において、トラッキングサーボまたはフォーカスサーボのいずれかが外れたことを検出し、光ディスク１２を複数のzoneに分割して、４回以上トラッキングサーボまたはフォーカスサーボが外れたことを検出した場合に、光ディスク１２の回転数を低下させて読み取り信号を読み取るとともに光ディスク１２の回転数を低下させたzone内では光ディスク１２の回転数を低下させた状態を維持し、光ディスク１２の回転数を低下させた際に読み取り信号を読み取っていた読取位置が属するzoneと異なるzoneを読み取り始めたら、光ディスク１２の回転数を上昇させて読み取り信号を読み取るように制御することを特徴とする光ディスク再生方法。
【００５０】
この光ディスク再生方法によれば、トラッキングサーボまたはフォーカスサーボのいずれかが外れたことが４回以上検出されたことでディフェクトがあると判定でき、光ディスク１２の回転数を低下させて光ディスク１２に記録されている情報を読み取り易くできる。そして、回転数を低下させた際に読み取り信号を読み取っていた読取位置が属するzoneと異なるzoneを読み取り始めたら、ディフェクトの有無に関係無くディスクモータ２の回転数を上昇させるためディフェクトが検出されなくなるまで回転数を低下させたままにするよりも速やかに高倍速再生に復帰できる。
【００５１】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５２】
【図１】従来技術におけるディフェクトがある光ディスクの説明図である。
【図２】本発明の一実施例にかかる光ディスクレコーダのブロック図である。
【図３】図１に示された光ディスクレコーダにおける高倍速再生時の動作のフローチャートである。
【図４】光ディスクのzone分割の説明図である。
【図５】ＤＶＤのデータ構造の説明図である。
【符号の説明】
【００５３】
１        光ディスクレコーダ（光ディスク再生装置）
２        ディスクモータ（回転手段）
３        光ピックアップ（読取手段）
５        サーボ信号処理部（サーボ制御手段）
７        音声／映像信号処理部（再生手段）
１０      マイクロコンピュータ（制御手段）
１２      光ディスク
【図１】
0004482539.tif 000002
【図２】
0004482539.tif 000003
【図３】
0004482539.tif 000004
【図４】
0004482539.tif 000005
【図５】
0004482539.tif 000006